(57)【特許請求の範囲】
【請求項１】
ａ）弾塑性材料で作られた板バネ様ストリップ（５）と、
ｂ）前記ストリップ（５）上に少なくとも部分的に設けられたカバー（１３；３８）とを備えて構成される、爪の矯正を実施するためのネイルブレス（２；３６）において、
ｃ）前記カバー（１３；３８）が磁性材料（１４）を含有するので、ネイルブレス装着具（３；３７；４２）の装着面（１７，１８；４４）に磁気引力によってネイルブレス（２；３６）が取り外し可能に保持でき、
ｄ）前記カバー（１３；３８）が取り外し可能であることを特徴とする、ネイルブレス。
【請求項２】
カバー（１３；３８）が、板バネ様ストリップ（５）の中央横軸（６）に隣接して伸びることを特徴とする、請求項１に記載のネイルブレス（２；３６）。
【請求項３】
カバー（１３）が、磁性材料（１４）を混合したワニスとして構成されることを特徴とする、請求項１又は２に記載のネイルブレス（２）。
【請求項４】
カバー（３８）が、磁性材料（１４）を含み且つ板バネ様ストリップ（５）に糊づけされる粘着性ストリップとして構成されることを特徴とする、請求項１〜３のいずれか一項に記載のネイルブレス（３６）。
【請求項５】
磁性材料（１４）が強磁性材料であり、特に、鉄、ニッケル、及び、コバルトの群の少なくとも一元素を含んでいることを特徴とする、請求項１〜４のいずれか一項に記載のネイルブレス（２；３６）。
【請求項６】
磁性材料（１４）が粒状であり、特に、５μｍから１００μｍの範囲の平均粒子サイズを有していることを特徴とする、請求項１〜５のいずれか一項に記載のネイルブレス（２；３６）。
【請求項７】
板バネ様ストリップ（５）が多層ガラス繊維強化熱硬化性樹脂で構成され、特に三つのガラス繊維層を備えていることを特徴とする、請求項１〜６のいずれか一項に記載のネイルブレス（２；３６）。
【請求項８】
つま先又は手指の爪（４）にネイルブレス（２；３６）を取り付けるための、ネイルブレス装着具（３；３７；４２）であって、
ａ）長手方向に伸びる細長いベースボディ（１５；４３）であって、当該長手方向に対して垂直に広がり且つ装着面を形成する端面（１７；４４）を有するベースボディと、
ｂ）前記装着面（１７；４４）上に取り付けるネイルブレス（２；３６）を取り外し可能に保持するための保持要素（２８；４６）とを備えて構成される、ネイルブレス装着具において、
ｃ）前記保持要素（２８；４６）は、前記装着面（１７；４４）上に配置され、且つ、磁気を帯びている、ネイルブレス装着具。
【請求項９】
保持要素（２８）が、装着面（１７）上の装着面（１７）の中央横軸（２７）に実質的に隣接して配置されることを特徴とする、請求項８に記載のネイルブレス装着具（３；３７）。
【請求項１０】
保持要素（２８；４６）が、装着面（１７；４４）の窪み（３０；４５）内に配置されることを特徴とする、請求項８又は９に記載のネイルブレス装着具（３；３７；４２）。
【請求項１１】
保持要素（２８；４６）が窪み（３０；４５）内に完全に挿入され、せいぜい装着面（１７；４４）と同一平面で終端することを特徴とする、請求項１０に記載のネイルブレス装着具（３；３７；４２）。
【請求項１２】
窪み（３０；４５）が、保持要素（２８；４６）の高さ（ｈ１）よりも大きな深さ（ｔ１）を有するので、前記保持要素（２８；４６）が挿入されると、残りの窪み（４０；４８）が装着面（１７；４４）に存在することを特徴とする、請求項１０又は１１に記載のネイルブレス装着具（３；３７；４２）。
【請求項１３】
ａ）請求項１〜７のいずれか一項に記載の少なくとも一つのネイルブレス（２；３６）と、
ｂ）請求項８〜１２のいずれか一項に記載のネイルブレス装着具（３；３７；４２）とを備えた、爪の矯正を実施するためのセット（１；３５）。
【発明の詳細な説明】
【技術分野】
【０００１】
特許文献１の内容が参照することで包含される。本発明は、爪の矯正を実施するためのネイルブレスに関連している。また、本発明は前記ネイルブレスをつま先又は手指の爪に装着するためのネイルブレス装着具、及び、前記ネイルブレスとネイルブレス装着具を備えた、爪の矯正を実施するためのセットに関連している。
【背景技術】
【０００２】
ネイルブレスは基本的に特許文献２から公知である。板バネ様ストリップの形態をした特許文献２に記載のネイルブレスは、曲がりすぎた爪を横から持ち上げるために用いられる。ネイルブレスは、弾塑性材料で作られたストリップ（細長片）であり、矯正すべき爪に瞬間接着剤で糊づけされる。
【０００３】
ネイルブレス装着具は特許文献３に記載されており、当該ネイルブレスの所定の位置合わせと固定のために用いられる。この特別な器具は細長いベースボディを有しており、長手方向と概ね垂直に端面が広がり、当該端面上には、装着すべきネイルブレスが保持要素によって取り外し可能に保持されている。この場合の保持要素は、ゴムリングの形をしたゴム弾性スリーブとして構成され、ネイルブレスを固定するためにネイルブレス装着具の保持装着部上に圧締め可能である。この圧締めした保持状態において、保持装着部の他に前記保持要素も、装着面上に置かれたネイルブレスをその一方の長手方向端部で取り囲む。このネイルブレス装着具は実際に成功が証明された。しかしながら、ネイルブレスの装着は、その補助器具を用いてすら特定の器用さを要求し、特に前記保持要素をネイルブレス装着具上に圧締めすることと、したがってその上に取り外し可能なネイルブレスを固定することを要求する。
【０００４】
爪を矯正するための方法と装置が特許文献４に記載されており、磁気要素をつま先の巻き爪の側方領域に糊づけする。反対の（対になる）磁石が靴内側のつま先位置に配置されて、磁気要素同士の磁気引力を作用させ、つま先の巻き爪上に力の作用を実行する。特許文献４にしたがう爪の矯正は著しく労力を要する。磁気要素のつま先爪への装着は多くの熟練を要する。
【先行技術文献】
【特許文献】
【０００５】
【特許文献１】DE 10 2011 087 144.6
【特許文献２】EP 0 282 645 B1
【特許文献３】DE 10 2008 010 442 B3
【特許文献４】US 2009/0048551 A1
【発明の概要】
【発明が解決しようとする課題】
【０００６】
本発明の課題は、最初に記載した種類のネイルブレス装着具と、最初に記載した種類のネイルブレスの両方をもたらすことであり、それによって矯正すべき爪へのネイルブレスの装着がより簡単になる。本発明は、当該ネイルブレスと当該ネイルブレス装着具とを用いることによって、爪の矯正を実行するためのセットをもたらすという課題にも基づいている。
【課題を解決するための手段】
【０００７】
これら課題は、本発明にしたがい請求項１、８及び１３に開示された特徴構成によって解決される。本発明の核はネイルブレスがカバーを備えていることであって、当該カバーは、少なくともストリップ上の範囲内に設けられており、磁気材料を含有している一方で、ネイルブレス装着具は、特に永久磁石の形態をした磁気性保持要素を備えていることである。ストリップのカバー用に設けられた磁性材料は、特に磁気材料又は磁気作用材料であってもよい。
【０００８】
本発明にしたがうと、ネイルブレス装着具の磁気性保持要素と相互作用をする、磁気材料で作られたカバーをネイルブレスが備えている場合には、前記ネイルブレス装着具へのネイルブレスの固定が特に容易にできることが認められた。また、さらなる固定要素を省略することができる。
【０００９】
有利な態様例にしたがうと、前記カバーは、ネイルブレスの板バネ様ストリップの上に取り外し可能に設けられる。このことは、治療する爪へのネイルブレスの装着後に、前記カバーが、ネイルブレスの板バネ様ストリップから再度取り除かれうることを意味する。ネイルブレスは透明であることが好ましく、比較的近くで観察することによってのみ爪の上に見える。磁気材料を備えたカバーが色でネイルブレスから区別されれば、美的感覚から、ネイルブレスの装着後に当該ネイルブレスから当該カバーを再度取り外すのに役立つ。
【００１０】
請求項２に記載の構成にしたがうと、前記カバーは、板バネ様ストリップの中央横断軸（主軸）と隣り合って延びる。この配置により、ネイルブレスはネイルブレス装着具によって中央に把持することができるので、当該ネイルブレスはネイルブレス装着具の装着面と中心を揃えて接触するようになりえる。
【００１１】
請求項３にしたがうと、カバーはワニスとして構成されて、磁気材料をそれと混合する。特にそのとき（磁気性）金属ワニスが存在する。前記ワニスは、ネイルワニスでもあると好ましい。磁気材料とワニスを混合することにより、ネイルブレスの板バネ様ストリップへのカバーの装着を実質的に容易にする。ネイルワニスは、ニトロセルロースと、溶剤と、任意に色素染料で実際に構成される。この種類のネイルワニスは、高い接着強度と、高い耐久性を備えている。それは、ネイルブレスの板バネ様ストリップに容易に装着可能である。その上、実際にどこででも得られるので、入手可能性が高い。
【００１２】
請求項４に記載のさらに好ましい構成から、前記カバーは粘着性ストリップとして構成され、強磁性材料を含んでおり、板バネ様ストリップに糊づけされる。カバーのこの構成により、ネイルブレスへカバーを装着するための追加の手段は省略できる。粘着性ストリップは、例えばネイルブレスへ手で糊づけされる。ここで粘着性ストリップは、ネイルブレスが爪に装着された後に、再度ネイルブレスから当該粘着性ストリップを容易に取り外せるように選択してもよい。
【００１３】
さらに好ましい構成にしたがうと、磁気材料は、強磁性材料を含んでおり、特に、鉄、ニッケル、及び、コバルトの群からの少なくとも一つの元素を含んでいるので、磁気性保持要素を用いることによって、ネイルブレス装着具でネイルブレスを容易に把持できることを確実にする。高い磁気性保持力は、鉄、ニッケル、及び／又は、コバルトによって通常条件下で成し遂げることができる。
【００１４】
請求項６に記載の更に有利な態様では、前記磁気材料が粒状であり、平均粒子サイズが特に５μｍから１００μｍの範囲内であることをもたらす。磁気材料の粒状の構成により、次にネイルブレス上にカバーとして装着可能である、あらゆる物質と実際に容易に混合可能である。しかしながら、前記粒状材料をネイルブレスに直接取り付けることも基本的に可能である。
【００１５】
請求項７に記載の構成によると、板バネ様ストリップが、多層のグラスファイバー補強した熱硬化性樹脂（＝Ｄｕｒｏｐｌａｓｔ：デュロプラスト）で構成され、特に三つのグラスファイバー層を備えている。この種類の構成は特に有利である、というのも、瞬間接着剤によってプラスチック材料と人の爪の間に、非常に迅速に効果が得られることと、著しく耐久性のある結合を作り出すことができるからである。三つのガラスファイバー層を備えることにより、ネイルブレスの剛性が単層構成と比較して増す。このことは、板バネ様ストリップの復元力が増し、ネイルブレスの効果がさらに改良されるという利点をもたらす。
【００１６】
請求項９にしたがうと、ネイルブレス装着具の保持要素が、装着面において、ネイルブレス装着具の装着面の中央横断軸（中央横軸）と隣り合って実質的に配置されるので、ネイルブレスを装着面上において中央に揃えて装着することを可能にさせる。特に、磁気材料を備えるネイルブレスのカバーが、ネイルブレスの中央横断軸と隣り合って延び、且つ、磁気を帯びて構成された保持要素が、ネイルブレス装着具の装着面の中央横断軸と隣り合って延びる場合には、当該装着面とネイルブレスが共通の中央横断軸と隣り合って接触するようにもたらすことが可能となるので、装着面へのネイルブレスの安定な支持が可能とされる。
【００１７】
請求項１０にしたがうと、ネイルブレス装着具の保持要素は、装着面の窪み内に配置される。この構成により、装着面への保持要素の確実な固定が成し遂げられる。
【００１８】
請求項１１に記載の装置は、保持要素が装着面を超えて突き出ないこと、これによって、実質的に平らな装着面が設けられることを可能にする。
【００１９】
請求項１２に記載の構成は、ネイルブレスのカバーが、装着面の第一残存窪み（残りの窪み）に入ることができるという可能性を与える。これは、装着面の前記保持窪みとネイルブレスのカバーとの間に追加のインターロックを作り出す。そのうえ、特定のカバー厚みを備えたカバーですら、装着面上においてネイルブレスを同一平面に載せることを可能にさせ、当該ネイルブレスは前記第一装着面上にしっかりと保持される。
【００２０】
本発明主体の実施形態を添付の図面を参照しながら以下に記載する。
【図面の簡単な説明】
【００２１】
【図１】ネイルブレスとネイルブレス装着具を用いて爪矯正を実施するためセットの実施形態の透視図である。
【図２】図１に記載のネイルブレス実施形態の底面図である。
【図３】図２に記載のネイルブレスの側面図である。
【図４】図１に記載のネイルブレス第二実施形態の図である。
【図５】図４に記載のネイルブレスの側面図である。
【図６】図１に記載のネイルブレス装着具実施形態の正面図である。
【図７】図６に記載のネイルブレス装着具の側面図である。
【図８】図６に記載のネイルブレス装着具の平面図である。
【図９】図７中の断面線IX-IXに沿った、ネイルブレス装着具の断面図である。
【図１０】装着面上にネイルブレスを保持している、図７中の断面線IX-IXに沿った、ネイルブレス装着具の断面図である。
【図１１】図６から図９に記載のネイルブレス装着具を用いることにより、つま先の爪へのネイルブレスの装着順序を表す図である。
【図１２】図６から図９に記載のネイルブレス装着具を用いることにより、つま先の爪へのネイルブレスの装着順序を表す図である。
【図１３】図６から図９に記載のネイルブレス装着具を用いることにより、つま先の爪へのネイルブレスの装着順序を表す図である。
【図１４】図４及び図５に記載のネイルブレスを備えたネイルブレス装着具第二実施形態を有するセットの第二実施形態の図である。
【図１５】ネイルブレス装着具第三実施形態の図である。
【発明を実施するための形態】
【００２２】
図１から図１５において、互いに等しい部品には同一の参照番号を与えている。以下により詳細に説明する実施形態の詳細は、自身で、又は、本発明の主題の部分でもありうる。
【００２３】
図１は、爪の矯正を実施するためのセット１の実施形態を表し、ストリップ形状で且つ板バネ様のネイルブレス２と、当該ネイルブレス２をつま先又は手指の爪４に装着するため（図１１から図１３参照）のネイルブレス装着具３とを備えている。前記ネイルブレス２は、治療すべきつま先又は手指の爪４上に糊づけするために用いられ、一方でネイルブレス装着具３は、当該ネイルブレス２を爪４に装着するために用いられる。
【００２４】
第一実施態様のネイルブレス２は、図２及び図３にしたがい、弾塑性材料で作られた板バネ様ストリップ５であって、当該ストリップ５の長手範囲を横断して進む、中央横軸６を備えた板バネ様ストリップ５と、上側部７、下側部８、二つの長手方向縁９、１０、ならびに、中央横軸６から間隔を置いて配置された二つの縁領域１１、１２とを備えている。板バネ様ストリップは、中央横軸６を通り抜ける中央面について実質的に対称であって、ブレス長ｄ１とブレス幅ｄ２とを有している。
【００２５】
ネイルブレス２は、つま先又は指の矯正すべき爪４に応じて様々な寸法を有することができる。これは、特に用途に応じて変化するブレス長ｄ１に当てはまる。したがって、例えば、３０ｍｍ、２４ｍｍ、２２ｍｍ、２０ｍｍ、１８ｍｍ、１６ｍｍ、及び、１４ｍｍのブレス長ｄ１を備えたネイルブレス２が存在する。これら異なるブレス長ｄ１は、例えばセット１内において、多くの、しかし、様々な長さのネイルブレス２も部分的に備えることができる。しかしながら、基本的に他のブレス長ｄ１も可能である。
【００２６】
強磁性材料１４を含有する取り外し可能なカバー１３が、板バネ様ストリップ５の上側部７上に、少なくとも部分的に設けられうる。前記強磁性材料１４は、好ましくは、鉄、ニッケル、又は、コバルトである。前記元素は、室温において特に良好な強磁性を有している。
【００２７】
前記カバー１３は、前記板バネ様ストリップ５の上側部７に薄層の状態で取り付けられ、且つ、中央横軸６に隣接するストリップ５の中央領域内を延在している。カバー１３は、上側部７が、目に見えて分かるほどの隆起が無い概ね平らな面を形成するように、前記板バネ様ストリップ５の上側部７に薄層の状態で取り付けられるのが好ましい。前記カバー１３は、ブレス長ｄ１と比較して、より短い長軸範囲ｄ３を有している。好ましい実施態様において、カバー１３の横軸範囲ｄ４は、前記ブレス幅ｄ２に対応し、少なくとも前記横軸範囲ｄ４は、ブレス幅ｄ２の少なくとも３／４を覆うことが好ましい。しかし、ブレス幅ｄ２とそれが等しくてもよい。
【００２８】
好ましい実施形態において、カバー１３は、強磁性材料１４を混合したワニスで構成する。その良好な接着特性から、鉄、ニッケル、及び／又は、コバルトを含有する粒子を混合したネイルワニスが特に適している。ワニスとして構成されたカバー１３は、この場合、ネイルブレス２の板バネ様ストリップ５へ取り外し可能に取り付けられており、且つ、前記板バネ様ストリップ５とは異なる色デザインを有する。前記異なる色デザインは、強磁性材料１４を含有するカバー１３を明確に識別するために用いられ、それによってユーザーが容易に識別可能であって、ネイルブレス装着具３をネイルブレス２のどこに配置すべきなのかが分かる。
【００２９】
ネイルブレス２の板バネ様ストリップ５は、本来弾塑性材料で作られており、特に、三つのガラス繊維層で構成された、多層ガラス繊維強化熱硬化性樹脂で作られることが好ましい。この種類の塑性材料は、三層のガラス繊維強化によって、薄いストリップとして構成された場合であっても、長期間に渡るその本来の弾性は少しも維持しない。したがって、取り付けられたネイルブレス２によって爪４上に実施された、三層ガラス繊維によって達成された高い復元効果は、ネイルブレス２の固定直後から既に、再び低下することは無い。
【００３０】
前記ネイルブレス２は、ネイルブレス装着具３を用いて爪４へ取り付けられる。
【００３１】
ネイルブレス装着具３は、ポリエチレン（PE）で作られた、立方体様の基本形状を備え、その最大幾何学寸法（＝長さ）が中央縦軸１６に沿って延びる一つの細長いベースボディ１５と、装着面として構成された二つの端面１７、１８と、前記中央縦軸１６に対し概ね平行に進行する二つの長手方向側面部１９、２０とを備えている。
【００３２】
前記中央縦軸１６に夫々概ね垂直に伸びているその二つの端面１７、１８に隣接して、ベースボディ１５は夫々装着区域２１、２２を有している。装着面として構成された前記端面１７、１８とは別の前記装着区域２１、２２は、夫々実施形態においてベースボディ１５の長手方向側面部１９、２０に部分円の形状をした少なくとも一つの湾曲した窪み２３も備えている。好ましい実施態様では、各装着区域２１、２２は明らかに二つの部分円形窪み２３を有する。この場合、前記窪み２３が長手方向脇１９、２０上の前記装着区域２１、２２内に設けられ、中央縦軸１６について互いに向かい合っている。
【００３３】
代わりに、前記端面１７に隣接して延びる一つの装着区域２１だけをベースボディ１５に設けることも基本的に考えられる。前記端面１８に隣接するベースボディ１５の領域は、この場合、長手方向側面１９、２０上に窪みの無い状態で構成される。
【００３４】
装着面１７、１８の範囲とは別の、前記装着区域２１、２２は、実質的には等しく構成され、特に、中央縦軸１６に対して実質的に垂直に進行するベースボディの中央横軸２７について対称となるようにも構成される。装着区域２１、２２の実質的に所与の構造同一性により、例えば、装着区域２１を備えたネイルブレス装着具３の一つだけの各詳細を図１１〜１３に表す。
【００３５】
中央横軸２７に対して実質的に平行に伸びる、装着面１７、１８の装着面長さｄ５、ｄ６は互いに異なっている。前記装着面長さｄ５、ｄ６は、夫々各端面（＝装着面１７及び１８）の領域においてベースボディ１５の幅と同じである。本実施形態において、前記装着面長さｄ５は２０ｍｍであり、したがって、１８ｍｍ程を有する装着面ｄ６よりも大きい。他のｄ５／ｄ６長さ組み合わせも基本的に可能である。装着面１７、１８の装着面幅ｄ７は、好ましい第一実施態様では夫々３ｍｍである。他の装着面幅も基本的に可能である。
【００３６】
装着面１７、１８は、それらの範囲について、装着するネイルブレス２の各範囲ｄ１、ｄ２に合わせられる。装着面長さｄ５、ｄ６は、各ブレス長ｄ１と等しいことが好ましく、且つ、装着面幅ｄ７は装着するネイルブレス２の各ブレス幅ｄ２と等しいことが好ましい。
【００３７】
装着するネイルブレス２を取り外し可能に保持するために、保持要素２８、２９が装着面１７、１８上に夫々備えられる。前記保持要素２８、２９は、ここでは永久磁石として磁性を帯びて構成されることが好ましい。特に、鉄、ニッケル、コバルト、ネオジミウム、及び／又は、フェライトが、永久磁石として構成された保持要素２８、２９用材料に適している。これら材料の一つ以上を有する化合物又は合金も可能である。
【００３８】
代わりに、装着面１７又は１８の一つだけに、一つの保持要素２８又は２９を備えることも基本的にはありえる。この構成は、ベースボディ１５上に一つだけ装着区域２１又は２２を設けた場合に選択される。
【００３９】
各保持要素２８、２９は、装着面１７、１８上の中央縦軸１６に隣接して実質的に伸びる。前記保持要素２８、２９の長手方向長さｄ８は、ここでは装着面長さｄ５、ｄ６よりも実質的に小さい。図８から推論されうるように、当該好ましい実施態様において、保持要素２８、２９の幅ｄ９は装着面幅ｄ７よりも小さい。
【００４０】
図６〜図１０にしたがう、ネイルブレス装着具３の好ましい実施態様において、保持要素２８、２９は、装着面１７、１８の窪み３０、３１内に夫々配置される。前記窪み３０、３１は、ベースボディ１５内を中央縦軸１６に沿って装着面１７、１８から離れて、中央横軸２７の方向へ伸びる。それらは、中央縦軸１６について概ね中央に配置される。前記窪み３０、３１は断面で見ると長方形であって、保持要素２８、２９の寸法に合わせられている。窪み３０、３１の長さと幅は保持要素２８、２９の寸法ｄ８、ｄ９と実質的に等しい。当該好ましい実施態様では、窪み３０、３１の深さｄ１は、保持要素２８、２９の高さｈ１と少なくとも等しい。保持要素２８、２９は、インターロック嵌合によってか、又は代わりに、接着剤結合で前記窪み３０、３１内に固定される。
【００４１】
図９及び図１０から推論されうるように、好ましい実施態様において保持要素２８、２９は窪み３０、３１内に完全に挿入される。図９及び１０に示した挿入位置において、保持要素２８、２９が装着面１７、１８と同一平面で終わり（終端し）、且つ、装着面１７、１８から外側に突出しないように、当該保持要素２８、２９は窪み３０、３１内に配置される。このために、窪み３０、３１は、保持要素２８、２９の高さｈ１と等しい深さｔ１を有することが好ましい。したがって、装着面１７、１８はネイルブレス２と接触されうる一つの水平面を形成する。
【００４２】
ネイルブレス２をつま先の爪４に取り付けるためのネイルブレス装着具３の使用及び特徴と利点を、特に図１１、図１２及び図１３に記載の図を参照しながら以下により詳細に記載する。
【００４３】
特にその側方外側縁の領域内において大きく曲がりすぎ、したがって醜いだけでなく痛みも生じているつま先の爪４が、ネイルブレス２によって矯正される。
【００４４】
図１１、図１２及び図１３は、ネイルブレス装着具３を用いて当該爪４上へのネイルブレス２の装着手順を表している。治療するつま先３２と隣り合うつま先３３とを夫々前面図で表している。
【００４５】
図１１、図１２及び図１３に示した実際の装着処理の前に、ネイルブレス装着具３が既に使用されている。治療する爪４に必要なブレス長ｄ１を決定するためにもそれを有利に用いることができる。装着面長さｄ５、ｄ６が使用可能なブレス長ｄ１のうち一つと等しくなるように、前記ネイルブレス装着具３は治療する爪４を測るために用いることができる。治療する爪４の幅と最も一致している装着面長さｄ５又はｄ６を用いることにより、この場合最も適したネイルブレス２が選択される。夫々異なるブレス長ｄ１を備えた多数の使用可能なネイルブレス２から、例えば側方のネイル壁から約１ｍｍの間隔を有する一つが選択される。
【００４６】
このようにして選択したネイルブレス２は、このブレス長ｄ１に属するネイルブレス装着具３の装着面１７又は１８上に磁気引力によって固定される。第一装着区域２１が、図１１、図１２及び図１３で用いられている。カバー１３が強磁性材料１４を含有しているので、ネイルブレス装着具３の永久磁石として構成された保持要素２８によって、ネイルブレス２は特に簡単に把持可能である。選択したネイルブレス２を受けるために、ネイルブレス装着具３は、その装着面１７をネイルブレス２のカバー１３に近づける必要がある。当該ネイルブレス２は、図示していないが、例えばさらに様々な寸法を有する多数のネイルブレス２が存在しているネイルブレス保存装置内に保存する。
【００４７】
カバー１３がネイルブレス２の中央横軸６に隣接して備えられ、且つ、磁性保持要素２８がネイルブレス装着具３の中央縦軸１６に隣接して備えられているので、当該中央縦軸１６と中央横軸６とは、図１０〜図１３中に示した支持位置に一つの共通面をかける。ネイルブレス２は、この特に好ましい位置において装着面１７上に直に接触して存在する。
【００４８】
ネイルブレス装着具３の第一装着面１７上のネイルブレス２支持位置では、カバー１３が窪み３０に載っており、当該カバー１３は当該窪み３０に位置する保持要素２８と接触していることが好ましい。カバー１３を備えていないネイルブレス２の上側７の領域は、前記支持位置で第一装着面１７上に直に接触して載っている。
【００４９】
ネイルブレス装着具３上にネイルブレス２を固定するための更なる手段は必要でない。ネイルブレス２は、磁性保持要素２８と強磁性材料１４を備えているカバー１３との間の磁性相互作用によって専ら実現される。
【００５０】
図１０及び図１１に示した支持位置から進行し、ネイルブレス２は、ネイルブレス装着具３から離れた下側８を瞬間接着剤でコートされる。代わりに、接着剤が治療する爪４に着けることも可能である。
【００５１】
保持されたネイルブレス２を備えたネイルブレス装着具３は、次に図１１に示すように、治療する爪４の側方の外側縁上に設置されて、板バネ様ストリップ５の縁領域１１が最初に前記爪４と接触するようになる。解剖学的事実にしたがい、前記ネイルブレス装着具３は、場合によって隣り合うつま先３３の方向へ大きく傾ける必要がある。ここで隣り合うつま先３３による衝突が生じること無くこのような大きい傾斜を可能にするために、この状況において隣り合うつま先３３に面するネイルブレス装着具３の長手方向側面１９上に窪み２３が設けられる。前記窪み２３は、隣り合うつま先３３のために空きスペースをもたらす（図１１参照）。
【００５２】
ネイルブレス２の縁領域１１は、当該ネイルブレス２が爪４上のその場所で固定されるように瞬間接着剤が硬化するまで、当該爪４の側方の外側縁上でネイルブレス装着具３によって押圧される。ネイルブレス装着具３の第一軸回転運動が爪４の中央に対して、言い換えると矢印３４の方向に生じる（図１１参照）。この中央位置にそれが一旦到達すると、今度はネイルブレス２が爪４上のこの位置においてネイルブレス装着具３によって、接着剤強度効果がさらにここにもたらされるまで押圧される（図１２参照）。
【００５３】
永久磁石として構成された保持要素２８は、カバー１３と保持要素２８との間の磁気引力が、爪４とネイルブレス２の板バネ様ストリップ５の下側８との間の接着強度よりも小さくなるように選択されるのが好ましい。
【００５４】
ネイルブレス装着具３の矢印３４方向への軸回転運動は、未だ捕捉されていない爪４の側方の外側縁まで続く。ネイルブレス２の縁領域１２はそこで、爪４上のこの位置のネイルブレス装着具３によって、ここに接着剤効果がさらにもたらされるまで押圧される。このようにして装着処理が実質的に完了すると、ネイルブレス２はネイルブレス装着具３の装着面１７から再度完全に取り外される。
【００５５】
ネイルブレス２とネイルブレス装着具３とを備えたセット１は、爪４へのネイルブレス２の装着を著しく容易にする。ネイルブレス装着具３とネイルブレス２との間の磁性相互作用により、ネイルブレス２とネイルブレス装着具３への労力を要する手作業によって取り付けなければならないネイルブレス装着具にネイルブレス２を保持する保持要素が不要となる。ネイルブレス２は磁気相互作用でネイルブレス装着具３によって把持されるので、治療をする手足治療医は、自身でネイルブレス２を把持する必要さえ無い。
【００５６】
図１４は、図４、図５に記載のネイルブレス３６の第二実施態様とネイルブレス装着具３７の第二実施態様とを備えたセット３５の第二態様を表している。これらと同一の、図１〜図１３を参照しながら先に既に記載した構成要素は同一の参照番号を備えており、再度詳細には議論しない。
【００５７】
ネイルブレス３６は、カバー３８の構成だけがネイルブレス２と異なっている。強磁性材料１４を含有するカバー３８は接着ストリップとして構成され、高さｈ１０を有している。図４、図５及び図１４に記載のカバー３８は、例えば鉄、ニッケル、又は、コバルトのような強磁性材料で作られた実質的に長方形のベースボディ３９を備えることが好ましい。ネイルブレス３６の第二実施態様におけるカバー（コーティング）３８は、板バネ様ストリップ５に糊づけされる。
【００５８】
図１４に記載のネイルブレス装着具３７では、窪み３０、３１内の保持要素２８、２９の配置が、ネイルブレス装着具３とは異なっている。図１４中に示した保持要素２８、２９の使用位置において、残りの窪み４０、４１が夫々装着面１７、１８上に設けられる。保持要素２８、２９の高さｈ１が窪み３０、３１の深さｔ１よりも小さくなるように、前記残りの窪み４０、４１が作られる。
【００５９】
ネイルブレス装着具３７を用いてネイルブレス３６を取り付ける場合には、当該残りの窪み４０、４１は、カバー３８との相互作用のために用いられる。
【００６０】
ネイルブレス装着具３７の第一装着面１７上におけるネイルブレス３６の支持位置において、カバー３８は残りの窪み４０、４１のうち一つと係合するので、カバー３８を備えていないネイルブレス３６の上側部７の領域は、装着面１７、１８のうち一つと直に接触して載る。カバー３８の寸法ｄ３、ｄ４は、前記残りの窪み４０、４１の寸法よりも小さくなるように選択される。この構成により、支持位置のカバー３８はその全高さｄ１０でもって、残りの窪み４０、４１のうち一つに入る。当該窪み４０、４１のうち一つとカバー３８とのインターロックにより、ネイルブレス３６はネイルブレス装着具３７上にさらに固定されて、装着面１７、１８上を滑らないようにされる。
【００６１】
図１５はネイルブレス装着具４２の第三態様を表す。図１〜図１４を参照しながら先に既に記載したものと同一の構成要素は同一の参照番号を備えており、再度詳細に議論しない。
【００６２】
図１５に記載のネイルブレス装着具４２は概ね鉛筆の形態を有しており、長手方向に延び、その第一端面４４は丸く、且つ、内側に広がる窪み４５を備え、その中に保持要素４６が挿入される、細長いベースボディ４３を備えて構成される。前記保持要素４６は、取り付けるネイルブレス２を取り外し可能に保持するために用いられ、磁力を帯びた、好ましくは永久磁石として構成される。保持要素２８、２９にしたがい、永久磁石として構成された保持要素４６用の材料として、鉄、ニッケル、コバルト、又は、フェライトが適している。窪み４５が保持要素４６の高さよりも大きい深さを有することが好ましく、その結果、保持要素４６が挿入されると、残りの窪み４８が装着面４４上に存在し、同様に構成されたネイルブレス３６のカバー３８と相互作用できる。
【００６３】
ネイルブレス装着具４２の第二端面４７は小さなヘラの形状をしており、接着剤をネイルブレス２又は爪４へ塗布するのに最適である。
【図１】
0005744820.tif 000002
【図２】
0005744820.tif 000003
【図３】
0005744820.tif 000004
【図４】
0005744820.tif 000005
【図５】
0005744820.tif 000006
【図６】
0005744820.tif 000007
【図７】
0005744820.tif 000008
【図８】
0005744820.tif 000009
【図９】
0005744820.tif 000010
【図１０】
0005744820.tif 000011
【図１１】
0005744820.tif 000012
【図１２】
0005744820.tif 000013
【図１３】
0005744820.tif 000014
【図１４】
0005744820.tif 000015
【図１５】
0005744820.tif 000016